(57)【要約】      （修正有）【課題】縮小操作により突っ張り力を解除したジャッキが掘削溝内に落下せず、直ちに地上に引き上げることができるようにしたジャッキ伸縮用の回転操作棒を提供する。【解決手段】棒状の操作杆３と、その一端側に連結され、土留め用の突っ張りジャッキ６の被駆動軸６１と嵌合着脱自在で被駆動軸に回転力を伝達する嵌合孔を内面に備えた底面開口のソケット１と、他端側に形成され、操作杆３を軸周方向に回転させる回転操作部４と、ソケット１に対して相対回転自在に連結され、ソケットの外周方向に突出し、かつ他端側に向かって突出するフック体２と、フック体のソケットに対する軸線方向への移動を阻止する移動阻止体とにより構成する。【選択図】図１
0003199665.tif 000002
【実用新案登録請求の範囲】
【請求項１】
棒状の操作杆(3)と、その一端側に連結され、他機器の被駆動軸と嵌合着脱自在で該被駆動軸に回転力を伝達する嵌合孔(11)を内面に備えた底面開口のソケット(1)と、他端側に形成され、前記操作杆(3)を軸周方向に回転させる回転操作部(4)と、前記ソケット(1)に対して相対回転自在に連結され、ソケット(1)の外周方向に突出し、かつ前記他端側に向かって突出するフック体(2)と、該フック体(2)のソケット(1)に対する軸線方向移動を阻止する移動阻止体(5)と、を備えている回転操作棒。
【請求項２】
他機器における被駆動軸の平面視形状が正方形状または六角形状で、該被駆動軸と嵌合するソケット(1)の内面に形成された嵌合孔(11)の底面視形状が十二角の星形形状とされている請求項１に記載の回転操作棒。
【考案の詳細な説明】
【技術分野】
【０００１】
本考案は、例えば土木工事において掘削溝の土留め用として使用される突っ張りジャッキの被駆動軸を、掘削溝の外部から回転操作して当該ジャッキの長さを伸縮作動させるために使用する操作棒に関するものである。
【背景技術】
【０００２】
旧来の土木工事等における土留め用突っ張りジャッキの被駆動軸を、掘削溝の外部から回転操作するための操作棒は、後記特許文献１の図１６において、ソケット部１、ジョイント部２、駆動棒３（本願では「操作杆」という）として記載されている棒状のものである。
【０００３】
続いて、この図１６を参考にして土木工事における掘削溝とその土留め対策について説明しておくと、通常、地面の掘削作業は、掘削予定の溝１０の両側面に鋼矢板１１を連続して打ち込み、これら両側の鋼矢板１１間の土を掘削機によって掘削し、掘削溝１０が深くなるにつれて土壌崩壊の危険が生ずるので、鋼矢板１１の側面に溝１０の長手方向に沿って腹起し用梁１２を取り付け、これら両側の腹起し用梁１２の間に土留め用のジャッキ１３を介在させて突っ張らせることにより、側壁の崩壊を防止している。
【０００４】
そして、掘削溝が所要深さに達すると、溝底に例えば配線管なり水道管を敷設して掘削溝の埋め戻し作業を行うこととなる。
【先行技術文献】
【特許文献】
【０００５】
【特許文献１】特開平１１−６０１９５号公報
【考案の概要】
【考案が解決しようとする課題】
【０００６】
上記した掘削溝の埋め戻し作業に先立って、または埋め戻し作業途中に掘削溝内部に設置されているジャッキの突っ張り作用を解除して、当該ジャッキを掘削溝外、すなわち地上に引き上げなければならない。前記特許文献１におけるジャッキ１３の地上への引き上げ作業では、ジャッキ１３の突っ張り作用を解除する際に、作業者が逐一溝内に入って操作することは掘削溝崩壊の危険性を伴うため、回転操作棒を使用してジャッキ１３の被駆動軸１３ｆを回転させることにより突っ張り力を解除するとともに、ジャッキ１３の長さを縮小させた後、ジャッキ１３端部に形成されている搬送用取手１３ｇに、図１０のように駆動棒３の下端部に形成された引っ掛けフック４を引っ掛けて地上に引き上げていた。
【０００７】
しかしながら、該特許文献１に記載のソケット部１の外周部に形成された引っ掛けフック４は、ソケット部１の外周面から直接突出させてあるので、駆動棒３の回転操作によってジャッキ１３の長さを縮小操作すると、駆動棒３のソケット部１とジャッキ１３の被駆動軸１３ｆとの契合が解除されてジャッキ１３が掘削溝内に落下する。そこで、図１１のように、改めて掘削溝内に落下したジャッキ１３の取手１３ｇに駆動棒３の引っ掛けフック４を引っ掛けて地上に引き上げていた。
【０００８】
本考案は、このように掘削溝内に存在するジャッキの被駆動軸を回転操作してジャッキの長さを縮小操作すると、操作杆（駆動棒）のソケット部とジャッキの被駆動軸との契合が自然に解除されてジャッキが掘削溝内に落下するという現象の発生を回避し、ジャッキを縮小操作して突っ張り力を解除しても、ジャッキが掘削溝内に落下することなく、事前にジャッキの搬送用取手に操作杆のフック体が引っ掛けられた状態で、直ちにジャッキを地上に引き上げることができるようにしたジャッキ伸縮用の回転操作棒を提供することを目的としたものである。
【課題を解決するための手段】
【０００９】
該目的を達成するために講じた本考案にいう回転操作棒の主たる構成は、棒状の操作杆３と、その一端側に連結され、他機器の被駆動軸と嵌合着脱自在で該被駆動軸に回転力を伝達する嵌合孔１１を内面に備えた底面開口のソケット１と、他端側に形成され、前記操作杆３を軸周方向に回転させる回転操作部４と、前記ソケット１に対して相対回転自在に連結され、ソケット１の外周方向に突出し、かつ前記他端側に向かって突出するフック体２と、該フック体２のソケット１に対する軸線方向移動を阻止する移動阻止体５と、を備えている構成としたものである。
【００１０】
また、この構成に従属する請求項２に記載の回転操作棒の構成は、他機器における被駆動軸の平面視形状が正方形状または六角形状で、該被駆動軸と嵌合するソケット１の内面に形成された嵌合孔１１の底面視形状が十二角の星形形状とされている構成としたものである。
【考案の効果】
【００１１】
以上のように、本考案の回転操作棒は、他機器の被駆動軸と嵌合させて該被駆動軸に回転力を伝達する底面開口のソケット１と、ジャッキ６を引っ掛けて地上に引き上げるフック体２とを備え、該フック体２をソケット１に対して相対回転自在に連結してある構成とし、さらに、該フック体２の軸線方向への移動を阻止する適宜の移動阻止体５を設ける構成としてあるので、掘削溝内からのジャッキ引き上げ時において、ジャッキ６の搬送用取手６４に操作杆３のフック体２を引っ掛け姿勢とした状態で、同時に、ジャッキ６の被駆動軸６１とソケット１とを嵌合させて操作杆３を回転させてジャッキ６を縮小させればよい。この時、所要長さに縮小したジャッキ６が掘削溝内に落下しようとしても、ジャッキ６はその搬送用取手６４に操作杆３のフック体２が引っ掛けられているので直ちに地上へ引き上げることができ、ジャッキ６の地上への引き上げ作業を効率よく行うことができるという効果がある。
【図面の簡単な説明】
【００１２】
【図１】本考案の使用形態を示す全体斜視図。
【図２】本考案に係る回転操作棒の外観形状を示す斜視図。
【図３】本考案に係る回転操作棒の下端側要部の外観を示す斜視図。
【図４】図２の回転操作棒の上半部を省略して示す左側面図。
【図５】図４同様の正面図。
【図６】図４におけるＡ−Ａ線に沿った断面図。
【図７】図５におけるＢ−Ｂ線に沿った断面図。
【図８】図４におけるＣ−Ｃ線に沿った断面図。
【図９】図４におけるＤ−Ｄ線に沿った断面図。
【考案を実施するための形態】
【００１３】
以下添付の図面に基づいて実施例を説明する。本実施例に記載の回転操作棒の各部は、主として鉄材、硬質アルミ材、ステンレス鋼材等によって適宜形成される。
【００１４】
本実施例に示す回転操作棒は、図１，２に示すように、全体として長尺の棒状体であって、棒状の主体を構成する操作杆３は、その最上端部側に回転操作ハンドル７のレンチ７１と嵌合する回転操作部４となる六角軸が連結形成されている。また、操作杆３は、図６，図７に示すように管材で形成されている。
【００１５】
該操作杆３は、その下端側に、他機器、ここでは図１の下方に示した土留め用の突っ張りジャッキ６に形成されている被駆動軸６１と着脱自在に嵌合し、該被駆動軸６１に回転力を伝達するためのソケット１が連結されている。このソケット１は、概形が筒形であって、その下半部は、図６，７の下部に示すように、下端部分がラッパ形に開口しており、底面から内奥部に向かって凹入する嵌合孔１１の周面に、ジャッキ６に形成された被駆動軸６１と嵌合する底面視十二角の星形凹凸形状とした嵌合溝１２が形成されている。
【００１６】
また、操作杆３の下端部には、ソケット１の上半部と角度変更自在に連結するソケット連結金具１４を連結ピン１５によって連結固定させてある。該ソケット連結金具１４は、外形がダルマ形の連結部１６としてあり、該連結部１６に形成してある上下に長い楕円穴１７に貫通させた横ピン１８を介してソケット１の上半部に連結してある。また、前記星形凹凸形状とした嵌合溝１２の上端に形成した中間底と連結部１６の底面との間に介在させたコイルスプリング１９によって、該連結部１６は常時上方に向けて弾圧されていて、ソケット１に対して角度変更可能に連結されている。
【００１７】
他方、該ソケット１の外周には、図３，４に示すように、リング体２１がソケット１に対して相対回転自在に外嵌されており、該リング体２１は、その外周面の一部から、外周方向に向かって突出するレバー部２２と、その先端部から上方向に向かって突出するアーム部２３と、その上端部からリング体２１側に向かって屈曲突出するフック部２４とによって構成されたフック体２が連接形成されている。このフック体２は、レバー部２２の上面と、アーム部２３のリング体２１側の対向面と、フック部２４の下面とで囲まれた空間２５を備えており、該空間２５と後述するジャッキ６の搬送用取手６４とが契合する構造としてある。フック体２は、ソケット１に対して相対回転自在のリング体２１に固定されているので、フック体２も、ソケット１との関係において相対回転自在となっている。
【００１８】
また、このフック体２を固定したリング体２１は、前記ラッパ形開口を形成するソケット１の大径部１３によって降下移動が阻止されるとともに、該リング体２１の上方に位置してソケット１の外周に固定された移動阻止体５によって上方移動が阻止され、ソケット１の外周の所定箇所において、ソケット１に対し相対回転自在に設けられている。
【００１９】
このように、該実施例のリング体２１は、ソケット１下部の嵌合孔１１の外周壁を構成する大径部１３によって、その降下移動が阻止される構造としてあるが、他の適宜の手段によって降下移動が阻止される構造としてもよい。また、リング体２１の上方移動阻止体として、該実施例に示した移動阻止体５は、図５，８に示すように周方向の一部に切り割り溝５１が形成されており、この切り割り溝５１を締め付けねじ５２によって縮径させることにより、ソケット１の外周に固定される構造としてある。
【００２０】
掘削溝内に配置される土留め用のジャッキ６は、図１に示したように外シリンダ６５と内シリンダ６６とからなり、これらの各シリンダ６５，６６には、それぞれの外端に掘削溝内に配置された矢板押圧梁の側面と接当する当て金具６２，６２と、その上端に側面視Ｌ字形に外向きに連接された矢板押圧梁の上面に接当する突出板６３，６３と、これらの突出板６３，６３のそれぞれに起伏自在に連結された平面視コの字形のジャッキ搬送用の取手６４，６４とが形成され、かつ、図１の手前側に示した取手６４に近接して、ジャッキ６の長さを伸縮させる被駆動軸６１としての短尺の六角軸が上向きに突出形成されている構造としたものである。
【００２１】
而して、ジャッキ６の被駆動軸６１と嵌合させて、操作杆３の回転力を伝達するためのソケット１の嵌合孔１１の内奥部に形成してある嵌合溝１２を、該実施例のものにおいて底面視十二角の凹凸星形形状としてあるのは、ジャッキ６の被駆動軸６１の形状が、四角形の場合でも、六角形の場合でも、咬み合い連結が容易にできるためである。
【００２２】
なお、図示は省略するが、例えばソケット１に対するリング体２１の上下移動を阻止する別の手段としては、ソケット１の外周面に溝を形成してＣ形座金を嵌合させたり、ソケット１の外周面に貫通孔を形成してピン止めしたりする等、適宜の他の手段に代えて実施することが可能である。
【００２３】
以上本考案の代表的と思われる実施例について説明したが、本考案は必ずしもこの実施例構造のもののみに限定されるものではなく、本考案にいう前記の構成要件を備え、前記の効果を有する範囲内において改変して実施することができる。
【産業上の利用可能性】
【００２４】
路面掘削工事等の終了段階において、ジャッキ６が梁間において水平方向に突っ張り姿勢を保持している段階で、本考案の回転操作棒を用いて、予めジャッキ６の搬送用の取手６４にフック体２を係止させた状態で、ジャッキ６の被駆動軸６１を回転させてジャッキ６を縮小操作することにより、突っ張り解除されたジャッキ６の地上への引き上げ作業を直ちに行うことができるので、従来よりも迅速に作業を終了することができるという利点が有し、現場の工事作業者には好感をもって使用されるものと思われる。
【符号の説明】
【００２５】
１  ソケット
２  フック体
３  操作杆
４  回転操作部
５  移動阻止体
１１  嵌合孔
【図１】
0003199665.tif 000003
【図２】
0003199665.tif 000004
【図３】
0003199665.tif 000005
【図４】
0003199665.tif 000006
【図５】
0003199665.tif 000007
【図６】
0003199665.tif 000008
【図７】
0003199665.tif 000009
【図８】
0003199665.tif 000010
【図９】
0003199665.tif 000011